(57)【特許請求の範囲】
【請求項１】
一つ又はそれ以上のデータチャネルを介してメッセージの伝達のために相互接続された複数の装置を含み、各装置が、少なくとも一つのコントローラ副装置を含む複数の副装置を備え、前記システム内の前記副装置が、ユーザー判読可能なメッセージを前記システムのユーザーへ表示するための表示スクリーンが結合されているユーザー出力副装置を含み、前記ユーザー判読可能なメッセージが、当該装置の状態情報により決められ、この装置の少なくとも一つの前記副装置によりユーザー判読可能なメッセージへつくられ、かつ表示のために前記ユーザー出力副装置へ直接又は間接にフレームの一つまたはシークエンスとして伝送されるローカルコミュニケーションシステムにおいて、
ａ）前記ユーザー出力副装置が、前記表示スクリーン空間の複数のフィールドの別々のフィールド内に別々のメッセージを表示することが出来、
ｂ）表示のために二つ又はそれ以上のフィールドを必要とするメッセージをつくるコントローラ副装置が、前記ユーザー判読可能なメッセージを別々の部分に分割する、伝送されたメッセージ内の一つ又は複数のフィールドセパレータを含み、かつ
ｃ）前記ユーザー出力副装置が、各又は当該フィールドセパレータを検出して連続するフィールド内の前記ユーザー判読可能なメッセージの前記部分を表示する
ことを特徴とするローカルコミュニケーションシステム。
【請求項２】
前記ユーザー出力副装置が、全メッセージの長さを決め、かつ表示するのに充分なフィールドがあるかないかに依存して表示するかしないかを決定する
ことを特徴とする請求項１に記載のシステム。
【請求項３】
前記メッセージを発生させる少なくとも一つの前記副装置が、前記メッセージの第１フレーム内に、前記ユーザー出力副装置により受信した際に検出されるコードである、前記全メッセージの前記長さを示すコードを含む
ことを特徴とする請求項２に記載のシステム。
【請求項４】
前記ユーザー出力副装置が、
前記コントローラ副装置の内の一つのコントローラ副装置からの全ての前記メッセージを有するメッセージ部分の数を前記長さコードから決定し、かつ
当該メッセージ部分の全てが受け取られるまで、前記コントローラ副装置の内の当該コントローラ副装置以外のコントローラ副装置からのメッセージを受けることを拒絶するように形成されている
ことを特徴とする請求項３に記載のシステム。
【請求項５】
期待されたメッセージ部分が既定の期間内に受信されないならば、前記ユーザー出力副装置が、前記コントローラ副装置の内の当該コントローラ副装置以外のコントローラ副装置からのメッセージを表示することに復帰する
ことを特徴とする請求項４に記載のシステム。
【請求項６】
各ユーザー判読可能なメッセージには表示寿命が割り当てられ、かつ前記メッセージを発生させる少なくとも一つの前記コントローラ副装置とは独立して、前記ユーザー出力副装置が、前記メッセージ寿命を計数し、かつこの満了時に表示から当該メッセージを削除する
ことを特徴とする請求項１に記載のシステム。
【請求項７】
前記メッセージを発生させる少なくとも一つの前記コントローラ副装置が、既定の階層構造の表示モード値の一つをメッセージに割り当て、かつ
前記ユーザー出力副装置により受信した際、もし表示のためには不充分な空きのフィールドしかないならば、後から受けたメッセージがより高いモード値をもつ場合、前記ユーザー出力副装置が、空きのフィールドをつくるために現在表示されているメッセージを削除する
ことを特徴とする請求項２に記載のシステム。
【請求項８】
請求項１に記載のシステム内で複数の相互接続装置の一つとして使用される表示装置であって、前記表示装置が、コントローラ副装置を含む複数の副装置と、ユーザー判読可能な当該メッセージを前記システムのユーザーに表示するための表示スクリーンが結合されているユーザー出力副装置とを備えている表示装置において、
前記ユーザー出力副装置が、前記表示スクリーン空間内における複数のフィールドの別々のフィールド内に別々のメッセージを表示することが出来、かつ前記ユーザー出力副装置が、受信されたユーザー判読可能なメッセージ内に前記フィールドセパレータまたは各フィールドセパレータを検出し、かつ逐次的フィールド内に前記ユーザー判読可能なメッセージの部分を表示することが出来る
ことを特徴とする表示装置。
【請求項９】
請求項１に記載のシステム内で複数の相互接続装置の一つによりホストされるべきコントローラ副装置であって、前記コントローラ副装置が、そのホスト装置の状態情報を決定し、当該状態情報をユーザー判読可能なメッセージに編成し、かつ当該メッセージを当該一つまたは複数のデータチャンネルを介して直接または間接に伝送するように構成されているコントローラ副装置において、
表示のために二つ以上のデータフィールドを必要とするメッセージを編成する際に、前記コントローラ副装置が、伝送される際にそのようなメッセージ内に、前記ユーザー判読可能なメッセージを逐次的表示フィールドにおける表示のために別々の部分に分割する一つまたは複数のフィールドセパレータを含むように構成されている
ことを特徴とするコントローラ副装置。
【発明の詳細な説明】
発明の属する技術分野
この発明は、ローカルコミュニケーションシステム及びこのシステムの使用のための装置に関する。特に本発明は、一つ又はそれ以上のデータチャネルを介してメッセージの伝達のために相互接続された複数の装置を有するローカルコミュニケーションシステムに関し、各装置は少なくとも一つの機能的副装置を含み、このシステム内の当該副装置はユーザー判読可能なメッセージを当該システムのユーザーに表示するためのユーザー出力副装置を含み、ユーザー判読可能なメッセージは、装置の状態情報により決められ、この装置の該副装置によりユーザー判読可能なメッセージに作られて表示のための該ユーザー出力副装置へ直接又は間接に伝送される。
従来の技術
冒頭に述べたタイプのローカルコミュニケーションシステムの例は、ヨーロッパ特許公報０５０５００６号及び０５３５７４９号に記述されている。
発明の目的及び概要
このシステムに存在する問題は、表示のための非常に長いメッセージを伝送することを所望するときに起こる。全メッセージの伝送を保証するために、発生副装置とユーザー出力副装置バスとの間のデータチャネルをロックすることが一般に必要である。代わりのデータ路がない場合には、このようなロッキングは、他の副装置間で表示されないメッセージの伝送を効果的に妨害するように動作することを可能にする。
本発明によると、ユーザー出力装置は複数のフィールド内にメッセージを表示し、表示のために二つ又はそれ以上のフィールドを必要とするメッセージをつくる副装置がユーザー判読可能なメッセージを別々の部分に分割する、伝送されたメッセージ内に一つ又はそれ以上のフィールドセパレータを含み、前記ユーザー出力副装置が当該又は各フィールドセパレータを検出し連続するフィールド内にある前記ユーザー判読可能なメッセージの部分を表示することを特徴とする冒頭で述べたシステムが提供される。
第１のメッセージ部分が、メッセージの全体の長さを示すコードを含むことが、適切である。発生副装置は、それから一連の別々のメッセージとしてメッセージを伝送してもよく、かつ前記ユーザー出力副装置を、第１のメッセージの全ての部分が受信されてしまうまで他の発生副装置から受けたメッセージを表示することを拒絶するように構成してもよい。このようにして、前記ユーザー出力副装置は、前記発生副装置に効果的にロックされるが、これらの間にデータ路のようなロッキングは存在しない。
多数の部分的メモリを伝送する間に発生装置がオフラインになる可能性を処理するために、前記ユーザー出力副装置には「タイムアウト」メッセージ手段を具備させてもよい。これにより、前記ユーザー出力副装置は、連続するメッセージ部分の間にあらかじめ決められた期間より長い遅れがあると、どの副装置からのメッセージも受け入れる状態に復帰する。
本発明は、他に、前述の態様でフィールドセパレータを発生し挿入するための手段をもつ発生副装置を、後述するシステム内の前記ユーザー出力副装置の態様で動作する表示装置に与える。本発明のさらなる特徴は以下の説明から明らかになるであろう。
発明の実態の形態
本発明の実施例を、以下に、図を参照して具体的に述べる。
図１は、衛星放送チューナー１０、ビデオカセットレコーダー（ＶＣＲ）１２、スマートカードリーダー１３及びテレビ受信器１４を含む家庭ビデオ娯楽システムを示し、すべて、シリアルデータバス１６で接続されている。ビデオ及びオーディオ信号は、該装置１０、１２及び１４間内を、例えば、ＳＣＡＲＴプラグ（ユーロコネクタ）、ソケット及び多重ケーブルを用いて通過する。
前記シリアルデータバスは、該バスの分配されたコントロールを提供し、装置１０、１２、１３及び１４のような特定の装置のために、また各装置内にある特定の副装置のために特有の番地付けされるべき他のメッセージ及び命令を許容する。
前記各装置１０、１２及び１４内には、副装置を表すブロックが示されている。装置を副装置に分割することは、論理的意味においてのみ、すなわち、前記シリアルバス１６に関連する行為のポイントから必要である。当該装置の物理的手段において、対応する物理的に別々の副装置があってもなくてもよい。実際、実施例においては、各装置は、副装置の一つのオーディオ／ビデオコントローラー（ＡＶＣ）タイプを含み、図１に点線により示されるようにこれらの副装置から及びこれらの副装置へシステムメッセージを中継して、この装置内の全副装置のためのコントロール及びシステマティックな質問情報が供給される。前記ＡＶＣ副装置は、また概してシステムの（分配された）制御論理を供給し、ユーザーの命令を解釈し、それに応じてシステムの動作を制御する。しばしば、ＡＶＣの制御論理及び他の副装置のいくつか又はその全ては、プログラムされた単一のマイコンを使って集積化されるであろう。図１に示されていない他の副装置は、タイマー、オーディオアンプなどのシステムの中に一般には含まれるであろう。さらに、ここで述べられる副装置は単に代表的サンプルとして表されているに過ぎない。
衛星チューナー装置１０において、チューナー副装置２６（ＴＵＮ）は、接続されている装置へベースバンドのビデオ信号を供給するために必要な信号処理機能を実行する。前記ＡＶＣ副装置２０は、ユーザー入出力（ユーザーＩ／Ｏ）副装置２７（ＵＩＯ）（前記衛星チューナーのフロントパネル及び／又はリモコン）からのユーザーの指示及びバス１６からのシステムメッセージを受け、チャネルを選択し、プリセットのチャネル選択のトラックを保持するなどの動作を行なう。
ＶＣＲ装置１２は、ＡＶＣ副装置２２、ユーザーＩ／Ｏ副装置２９（ＵＩＯ）、地上放送チューナー副装置２８（ＴＵＮ）、スイッチボックス副装置３０（ＳＢ）及びビデオテープ記録再生デッキ３２を含む。
テレビ受信装置１４は、ＡＶＣ副装置２４、ユーザー入出力副装置４１（ＵＩＯ）、地上放送チューナー副装置４２（ＴＵＮ）、スイッチボックス副装置４４（ＳＢ）及びビデオモニタ副装置４６（ＶＩＤ）を含む。前記テレビ受信器のユーザーＩ／Ｏ副装置４１は、これ以降述べられるように、オンスクリーンディスプレイ（ＯＳＤ）機能５０、およびユーザー制御信号を受けるためのリモコン４１ａを有する。
動作において、前記チューナー副装置２６、２８及び４２は、該システム内のビデオ信号源とみなすこともできる。前記ビデオモニタ副装置４６は、ビデオ信号の目的地として、ユーザーに対する像を表示する機能として働くことができる。記録／再生デッキ副装置３２は、所与の時間に再生及び／又は記録するかに依存して、ビデオ信号の源及び／又は目的地として動作することもできる。
前記装置１０、１２、１４内の機能的要素は、システム副装置として番地付けできるので、前記ＡＶＣ副装置２０、２２、２４のどれも前記バスのコントロール及びこれら副装置への番地命令をとることができる。これは、例えば、ユーザーＩ／Ｏ副装置によりユーザー命令が知らされ、ユーザーの好みを実施するために該システム内の各ポイントでの副装置の制御を要求するＡＶＣ副装置によりなされる。
ある共通の副装置の基本機能を制御するためのシステムメッセージフォーマットは、規定され、その範囲は、新しい命令だけでなく特性及び状態に関して他の質問をするための一つのシステム装置又は副装置を可能にする要求及び応答メッセージを規定する。各スイッチボックス副装置３０及び４４は、入力信号路の特定の一つへ出力信号路を接続するために前記バス（又は協働するＡＶＣ副装置により）を介して制御させることができる。例えば、ユーザーがある衛星放送チャネルを見たいと所望していることを、ユーザーが、前記テレビ受信器装置１４に示すと、適切に番地付けされかつコード付けされたシステムメッセージを、前記バス１６を介して送り、前記衛星チューナー１０、ＶＣＲ１２，カード読み取り器１３及びテレビ１４を確実に作動させ、前記衛星チューナー１０に適切なチャネルを選択させ、前記ＶＣＲスイッチボックス副装置３０及び前記テレビスイッチボックス副装置４４に源から目的地へ適切な信号路を接続させることができる。ユーザーの介入により又は介入なしに、これらのことを行なわせる方法は数多くある。最高にユーザーフレンドリーとするために、全行程を、ユーザー入力を受ける該装置のＡＶＣ副装置により制御させることができる。源から目的地への信号路をつくるために必要な情報は、関連ある装置及び副装置への適切な一連のシステム要求メッセージにより得ることができる。
該システムに対するユーザーフレンドリーなユーザーインターフェースを提供するために、どのＡＶＣ副装置（以下、「ＡＶＣ」）も、前記ユーザーＩ／Ｏ副装置４１のオンスクリーンディスプレイ（ＯＳＤ）機能５０を使って、ユーザーメッセージを表示することを所望することができる。例えば、当該テレビが、ユーザー及びユーザーの所望にしたがった信号路のセットアップにより作動されるときには、該ＡＶＣ２４は、どのチャネルが見られているのかをユーザーに対し視覚的に確認することを所望してもよい。
図２は、可能な三つの表示フィールドＦ１，Ｆ２，Ｆ３をもつスクリーン空間６０を示す。これらは、最小に目立たないテレビ像になるように表示の下近くに配置される。図３に示されるように、メッセージＭ１（この場合、前記ビデオレコーダー１２のＡＶＣ２２からの状態メッセージ）が、これ以降述べられるように、一つ以上のフィールドＦ１，Ｆ２を占めてもよい。また、以下に述べるように、充分に空きフィールドがあるならば、表示フィールドＦ３に表示されている（衛星チューナー１０のＡＶＣ２０からの）メッセージＭ２により示されるように、二つ以上のメッセージを同時に表示させることもできる。
前記ＯＳＤの制御及び動作は、対話形式言語命令、ＯＳＤデータ及びＯＳＤ状態要求に対するプロトコルにより決められる。
ＯＳＤメッセージを発生するための命令であり、かつ図４に示されるように、前記言語及びキャラクタセットを示す第１オペランド（ＯＰＲ１）が続く装置言語命令と同一である動作コード（ＯＰＣ）のフォーマット形式である命令を受ける装置が使用するように設定された言語及びキャラクタセットを選択するためには、対話形式言語命令を使用してもよい。
応答は、図５に示されるように応答コード（Ｒｅｓｐ）によりフォローされた対話形式言語命令の繰り返しを含む。該応答コードは、４つの値、すなわち「不実施（ｎｏｔ  ｉｍｐｌｅｍｅｎｔｅｄ）」、「拒絶（ｒｅｊｅｃｔ）」、「ビジー（ｂｕｓｙ）」、「完了（Ｃｏｍｐｌｅｔｅｄ）」の一つとすることができる。応答コード「不実施」は、装置がこの命令又は特定のオペランドをサポートしないということを示す。応答コード「拒絶」は、装置が受けた命令を一般に実行できるが、実行を妨げる（例えば、該装置が非動作又は緊急状態である）該装置の現在の状態か、又は同じ若しくは他の装置命令／要求が受信されたかによって、この場合に実行不可能となるということを示す。応答コード「ビジー」は該装置が命令を受けていて動作中であるが最終の応答が（「拒絶」か「完了」か）現在不明であることを示す。最終の応答は動作が完了する際に送られるであろう。応答コード「完了」は、命令が特定して実行された、すなわち、前記対話形式言語命令により特定された言語及びキャラクタセットが選択されたということを示す。
前記ＯＳＤデータプロトコルは、伝送された表示データのフォーマットを規定する。データは、図６に示されるような一般のフォーマットで、伝送され、このフォーマットは、以下に述べるように他のフレームへ追加情報を運ぶ多数のフレームシーケンスの第１フレーム、又は単一のフレームメッセージを有する。データが多数のフレームシーケンスで伝送されるときには、ロッキングが、発生から目的の装置への路を維持するために使われる。第１のフレームは目的地をロックし、最終のフレームはそれを解除する。ロックされたシーケンスに対しては、フレームの最大の数（４が好ましい）が、特定される。メッセージがテレビスクリーン上に多数のライン内に表示されるべき必要があるとき、各ラインは別々のフレームシーケンスとして送られる。日本語のデータが送られるときには、各キャラクタは規定の２バイトを必要とし、連続するフレームの間でどの２バイトキャラクタコードも分離しないように注意しなければならない。
もしロックされたときに、メッセージ部分（フレーム）が、あらかじめ決められた期間内に前記ユーザー出力副装置により受信されないならば、当該ロックは、解除され、他の副装置からのメッセージが再び受け入れられると言う中断規定が、ロッキングのためにつくられることが、好ましい。
図６に示されているように、全てのフレームは１３バイトでつくられる。第１のバイト（ＤＴＡＴＲ）は、該ＯＳＤがキャラクタにつき１バイトを要求するヨーロッパ／アメリカタイプであるか日本語タイプ（２バイトを要求する）であるかを示し、一方２番目のバイト（ＢＹＴＥ）は、後のＤＡＴＡバイトの数を示す。続くＤＡＴＡバイト（ＤＡＴＡ１〜ＤＡＴＡ１１）は、表示されるべきＯＳＤデータを特定する。フレームシーケンスの第１のフレーム内では８キャラクタデータバイト（ＤＡＴＡ４〜ＤＡＴＡ１１）しか利用可能ではないが、残りのバイト（ＤＡＴＡ１〜ＤＡＴＡ３）は、言語及びキャラクタセットとメッセージモードとラインシーケンスとにそれぞれ関係するコントロール情報を保持している。
言語及びキャラクタセット（ＤＡＴＡ１）のためのバイトは、選ばれたキャラクタセット及び言語を示し、コードは対話形式言語命令の場合と同様である。モードバイト（ＤＡＴＡ２）は、以下のようなメッセージの重要性を示す。
通常（Ｎｏｒｍａｌ）：
カセットが再生中であることを示すためのＶＣＲから送られる「再生（Ｐｌａｙ）」と言うような通常のメッセージ、
重要（Ｉｍｐｏｒｔａｎｔ）：
再生又は記録の命令に対し、カセットが前記記録／再生デッキに存在しないときに、ＶＣＲから送られる「カセットが無い（Ｎｏ  Ｃａｓｓｅｔｔｅ）」と言うような重要なメッセージ、
警告（Ａｌｅｒｔ）：
「緊急（Ｅｍｅｒｇｅｎｃｙ）」と言うような警告メッセージ。
ラインシーケンスバイト（ＤＡＴＡ３）は、フレームが単一の又は多数のラインメッセージの第１のライン内の第１のフレームであるか否か、又はフレームが多数のラインメッセージの次のライン内の第１のフレームであるか否かに依存して、二つの表示のうちの一つを与える。単一の又は多数のラインメッセージの第１のライン内で、このバイトは、メッセージ内のラインの合計数、すなわち、メッセージが完了する前に受信される必要があるであろうフレームシーケンスの数を示す。多数のラインメッセージの２番目の又は次のラインの第１のフレーム内において、ＤＡＴＡ３バイトは、他のデータを保持していてもよい。
ＯＳＤのステータスリクエストは、ＯＳＤ機能に関する情報を得るために装置から表示副装置へ送られる。リクエストフォーマットは、ビデオ状態リクエストを示す動作コードバイトＯＰＣを伴う図７に示されるように、二つのオペランドバイトＯＰＲ１及びＯＰＲ２にしたがう。応答フォーマットは、図８に示されている。
当該ＯＳＤステータスリクエストへの応答は、「不実施」、「拒絶」、「完了」を示す応答バイトを含む。「不実施」という応答は、前記表示副装置が特定されたリクエスト又はオプションをサポートしないことを示す。「拒絶」の応答は、前記表示副装置が当該受けたリクエストを実行するための能力をもっているが、同じ又は他の表示副装置の命令／要求が受けられているか又は当該表示装置の現在の状態が実行を妨げている（例えば、ディスプレイが非動作であるか又は緊急状態である）ような現在の場合にそのように実行することができないということを示す。
「完了」の応答は、言語／キャラクタセットとレベルとをそれぞれ表す前記二つのオペランドＯＰＲ１とＯＰＲ２とによりしたがう前記ビデオ状態リクエストバイトＯＰＣの反復、及び完了を示す応答バイトを含む。すなわち、前記副装置は現在当該オペランドにより特定された状態にある。前記言語／キャラクタセットバイトＯＰＲ１は、前記表示副装置が特定された前記言語及びキャラクタセット内のＯＳＤデータを表示するということを示す。前記レベルバイトＯＰＲ２は、以下の表１に示されるように前記表示装置によりサポートされたＯＳＤレベルを示す。
表１
［レベル］［表示装置］
一番目    同じフォーマット内の全てのモード（通常、重要及び警告）を表示する。
二番目    通常と重要モードに対する別々のフォーマットをサポートする。重要と同じフォーマット内に警告メッセージは表示される。
三番目    異なるフォーマット内で全てのモードを表示する。
表示のためのメッセージを発生させる装置の動作を簡単にするために、前記ユーザー出力副装置（図１のＯＳＤ機能５０）には、例えば、前にヨーロッパ特許公報０５０５００６号のシステムに提供されたものよりも大きな表示のコントロールが与えられる。
全てのＯＳＤメッセージには、これらメッセージの寿命の終わりにメッセージの削除をも制御するＯＳＤ機能により表示寿命（適切には少なくとも４秒）が与えられる。これは表示を計数するために表示されるべきメッセージを送り、次にメッセージの削除を要求する前記ＯＳＤ機能へ他のメッセージを送る責任を各副装置から取り除く。推察されるように、これはまた相互接続されたバスシステム上のメッセージの数を減らす。発生副装置は、特定された寿命より長いスクリーン上のメッセージを維持することを所望するならば、オリジナルの寿命内に表示の指示を再提供するように要求される。
図９は、ＯＳＤメッセージの動作の際前記ＯＳＤ機能により考慮されたファクターの数を表し、表示６２のためのメッセージの受信で開始するフローチャートである。メッセージが表示されることができるか否か（例えば、ディスプレイが非動作か又は緊急状態か）及びそうでないならば「拒絶」メッセージ（ＳＥＮＤ  ＲＥＪＥＣＴ）６６が前に述べられたように送られているか否かを確認するために、チェック（有効か（ＶＡＬＩＤ）？）６４が、行なわれる。
もし前記メッセージを表示することができるならば、要求されたフィールドの数に関する長さが決められ、かつ全体のメッセージを収容するための充分な現在使われていない表示フィールドがあるか否かを見るために、チェック（フィールドが利用可能か（ＦＩＥＬＤＳ  ＡＶＡＩＬＡＢＬＥ）？）６８が、現在の表示状態上で行なわれる。もし前に受けたメッセージが表示中であり、後のメッセージを収容するための充分な空きの表示フィールドが無い場合、相対的な「重要」を決めるために、二つのメッセージのそれぞれのモードの比較（より高いモードか（ＨＩＧＨＥＲ  ＭＯＤＥ）？）７０が行なわれる。もし前のメッセージが同じか又はより高いモードをもつならば、後のメッセージは失敗し、かつ（拒絶を送る（ＳＥＮＤ  ＲＥＪＥＣＴ）ステージ）６６が、「拒絶」メッセージを後のメッセージの発生副装置へ戻す。しかしながら、もし後のメッセージがより高いモードをもつならば、前のメッセージは、表示から完全に取り除かれ（現在の表示を削除（ＲＥＭＯＶＥ  ＰＲＥＳＥＮＴ  ＤＩＳＰＬＡＹ）７２）、これにより後のメッセージのために空きのディスプレイフィールドがつくられる。
（元々のメッセージまたは前のメッセージの削除の何れかにより）利用可能な空きフィールドが存在する場合には、メッセージのモードは、通常（ｎｏｒｍａｌ）７４、重要（ｉｍｐｏｒｔａｎｔ）７６又は警告（ａｌｅｒｔ）７８に決められ、かつメッセージタイマー（図示されていない）には、適切なメッセージの寿命、ＴNORMAL（ステップ８０）、ＴIMPORTANT（ステップ８２）又はＴALERT（ステップ８４）がロードされる。
当該タイマーがセットされると、メッセージの表示（表示の開始（ＢＩＧＩＮ  ＤＩＳＰＬＡＹ））８６が始まる。カウントダウンループ８８は、メッセージの寿命をカウントし、満了の際、表示から当該メッセージを削除する（ステップ９０）。削除にしたがって、「完了（ｃｏｍｐｌｅｔｅｄ）」メッセージが、前述のように発生副装置に送られる（完了を送る（ＳＥＮＤ  ＣＯＭＰＬＥＴＥＤ）９２）。
図示されるように、ステップ９４には更なるチェックを含ませてもよい。これによって、通常、重要又は警告のように満足できるほど識別されていないモードをもつメッセージは、無効とみなされ、かつ「不実施」メッセージが発生副装置に送られる。
表示寿命のセッティングは、既述のようにメッセージのモードにより決めてもよく、これによりそのメッセージの表示持続期間がセッティングされる。他に、前記ＯＳＤ機能の複雑さを減らすために、ＯＳＤ機能は、これらのモード又は発生装置に関わらず、全受信したメッセージに固定された寿命を割り当ててもよい。このような場合に、図５のステップ７４から８４を、全てのメッセージに対するカウントダウンの時間基準へタイマーをセッティングする単一のステップにより置き換えてもよい。
第１のメッセージを表示中に、表示副装置が第二のメッセージを受信するときに発生するかもしれない衝突を減らすために、表示副装置は、以下の条件にしたがってＯＳＤメッセージを処理する。
−  表示副装置は、各メッセージを、当該表示が以前のメッセージの部分から自由になっていてかつスクリーン上でメッセージがミックスされる可能性を避けることを保証するために、別々のラインの組としてよりもむしろ単一のオブジェクトとして扱い；
−  メッセージを表示するための命令を受け入れ、メッセージの大きさ及び表示フィールドの利用可能性に応じて表示が可能か否かを決める。
次いで、認知メッセージを、メッセージが表示されたか否かを示す前記発生副装置に伝送させてもよい。
−当該表示機能が、両方のメッセージを同時に表示するのに充分に利用可能な表示フィールドが存在するという決定をしない限り、受信した
ＯＳＤメッセージは、以前のメッセージを上書きするであろう（すなわち、完全に置き換えられる）。
−  一つの発生装置又は副装置につき、一度に一つのメッセージしか表示させないようにしてもよい。
前記表示副装置により実施されたように、上述の条件は、これらが前記表示上の自由なラインを探すように要求されない点、前記表示の個別のラインによりサポートされるオプションを考慮することも要求されない点、およびリクエストを出す前のステップなしに前記表示副装置へ直接メッセージを送ることができるという点で、前記発生装置にとって有利である。ユーザーの利益は、部分的に上書きされたメッセージが当該表示上に表れることはないということである。
これまでの開示から、他の変形は当業者には明らかであろう。このような変形は設計上既に知られている他の特徴を含んでもよく、ローカルコミュニケーションバスシステム、家庭用オーディオ／ビデオ装置及びこれらの部品部分の製造及び使用、ここで既に述べられた特徴を加えて又はその代わりに使われてもよい。クレームはこの出願の中で特に特徴の組み合わせを明確に述べたけれども、本出願の開示の範囲はまた新奇な特徴、又はここに述べられた特徴の新奇な組み合わせ明らかに又は暗黙に又はこれらの一般化を含み、原クレームの何れかと同一の発明と関連する、本発明と同じような技術問題を軽減する。出願人はここに現在の出願又はここから引き出される他の出願の手続き遂行の間に、新しいクレームをこれら特徴の組み合わせ及び／又はこれらの特徴を明確に述べてもよいということに留意されたい。
【図面の簡単な説明】
図１は、本発明を具現化する家庭用オーディオ／ビデオシステムを示した図である。
図２及び図３は、表示上のメッセージフィールドの位置づけを表した図である。
図４〜図８は、図１のシステムで使われるオンスクリーンディスプレイのコントロールファンクションを表した図である。
図９は、ＯＳＤメッセージのコントロールとタイミングとを表したフローチャートである。
符号の説明
１０  衛星放送チューナー
１２  ビデオカセットレコーダー（ＶＣＲ）
１３  スマートカードリーダー
１４  テレビ受信器
１６  シリアルデータバス
２０，２２，２４  ＡＶＣ副装置
２６  チューナー副装置（ＴＵＮ）
２７  ユーザー入出力（ユーザーＩ／Ｏ）副装置（ＵＩＯ）
３０  ＶＣＲスイッチボックス副装置（ＳＢ）
３２  ビデオテープ記録再生デッキ
４１  ユーザー入出力副装置（ＵＩＯ）
４１ａ  リモコン
４２  地上放送チューナー副装置（ＴＵＮ）
４４  スイッチボックス副装置（ＳＢ）
４６  ビデオモニタ副装置（ＶＩＤ）
５０  オンスクリーンディスプレイ（ＯＳＤ）機能
６０  スクリーン空間
【図１】
0003934675.tif 000002
【図２】
0003934675.tif 000003
【図３】
0003934675.tif 000004
【図４】
0003934675.tif 000005
【図５】
0003934675.tif 000006
【図６】
0003934675.tif 000007
【図７】
0003934675.tif 000008
【図８】
0003934675.tif 000009
【図９】
0003934675.tif 000010